(57)【特許請求の範囲】
【請求項１】
吸入口（１１６）と弁体（１２５）により開閉される吐出口（１１７）とが形成されたシリンダ部（１１５）を有する本体部（１０’）と、前記シリンダ部（１１５）内を往復動せしめられて、前記吸入口（１１６）から流体を吸入するとともに、吸入された流体を前記吐出口（１１７）から出口通路部材（１４０）側に押し出す往復動部材（２０）と、該往復動部材（２０）を駆動するソレノイド（３０）と、を具備し、前記往復動部材（２０）により流体の吸入吐出が行われるようにされた往復動式ポンプ（１’）において、流体の吸入吐出に異常が生じたか否かを検出すべく、その吐出側（１４０）の圧力変動を検知する圧電素子からなる異常検出手段（１５０）を付設した往復動式ポンプであって、
前記本体部（１０’）の前記吐出口（１１７）側に第一調圧弁（１２０）を介して連結された前記出口通路部材（１４０）と、該出口通路部材（１４０）の下流側に配設された第二調圧弁（１３０）と、を具備し、前記第二調圧弁（１３０）の調圧値が前記第一調圧弁（１２０）の調圧値より高く設定されることを特徴とする往復動式ポンプ。
【請求項２】
前記異常検出手段としての前記圧電素子（１５０）に、前記吐出口（１１７）から吐出される流体の圧力変化が直接伝達されるように構成されていることを特徴とする請求項１に記載の往復動式ポンプ。
【請求項３】
前記吐出口（１１７）側に連結された出口通路部材（１４０）が、内部に通路兼圧力検出室（１４１）が貫通せしめられた筒状とされていて、その外周側に前記圧電素子（１５０）が取付固定されていることを特徴とする請求項１又は２に記載の往復動式ポンプ。
【請求項４】
吸入吐出する流体が内燃エンジン潤滑用オイルであることを特徴とする請求項１〜３のいずれか一項に記載の往復動式ポンプ。
【発明の詳細な説明】
【０００１】
【発明の属する技術分野】
本発明は、ピストンやプランジャ等の往復動部材により流体の吸入吐出を行うようにされた往復動式ポンプに係り、特に、流体が吸入されない、目的地まで吐出圧送されない、といった異常を検出するための異常検出手段を付設したものに関する。
【０００２】
【従来の技術】
チェーンソー等の携帯型作業機の動力源として使用される小型空冷２サイクルガソリンエンジン（以下、内燃エンジンと称する）の潤滑等に使用される往復動式ポンプは、例えば図７に示される如くの構成となっている。以下、図示従来例の往復動式ポンプ２を簡単に説明する。この往復動式ポンプ２は、基本的には、吸入口６６とボール弁体７５により開閉される吐出口６７とが形成されたシリンダ部６５が内嵌された本体部６０と、前記シリンダ部６５に摺動自在に嵌挿されたプランジャロッド７１と該プランジャロッド７１の後端部が圧入固定されたプランジャ本体７２とからなる往復動部材７０と、前記本体部６０の一端側（図では右側）に配設された、前記往復動部材７０を駆動するソレノイド８０と、前記本体部６０の他端側（図では左側螺合部６４）に螺合せしめられた出口通路部材９０と、を備えている。
【０００３】
前記ボール弁体７５は、それと前記出口通路部材９０との間に介装されたコイルばね７４により、常時前記吐出口６７を閉じる方向に付勢されており、また、前記往復動部材７０は、前記シリンダ部６５と前記プランジャ本体７２との間に介装されたコイルばね７８により、図の右方向に付勢されている。
【０００４】
前記ソレノイド８０は、前記本体部６０とその一端側外周に螺合せしめられた取付固定筒８４との間に挟まれるようにして取付固定されており、また、前記取付固定筒８４の外周側には、有底円筒状のストッパカバー８５が外嵌固定されている。
【０００５】
前記ソレノイド８０は、図示しない外部の電源（制御装置）から所定の周期をもって供給される駆動パルスによりＯＮ（通電励磁）／ＯＦＦされるようになっており、前記往復動部材７０は、前記ソレノイド８０がＯＮからＯＦＦにされると、前記コイルばね７８の付勢力により図の右方向に移動せしめられ、前記プラジャロッド７１が前記吸入口６６を開いて、前記プランジャロッド７１と前記ボール弁体７５との間に形成された弁室６１内に流体（内燃エンジン潤滑用オイル）を吸入するとともに、その後端鍔状部７３が前記ストッパカバー８５に接当せしめられる（図の実線で示される状態）。
【０００６】
この状態から前記ソレノイド８０がＯＮにされると、その発生磁力により前記往復動部材７０が図の左方向に移動せしめられて、前記プラジャロッド７１が前記吸入口６６を閉じるとともに、前記弁室６１内の流体を押圧して前記ボール弁体７５を図の左方向に押動し、前記プランジャ本体７２の前記後端鍔状部７３が前記取付固定筒８４の右端面に貼着された合成樹脂製緩衝板８８に接当せしめられる。
これにより、前記吐出口６７が開かれて、前記弁室６１内の流体が前記出口通路部材９０側に吐出される。
【０００７】
したがって、前記ソレノイド８０のＯＮ／ＯＦＦ作動により、例えば、図示しないオイルタンク内の潤滑用オイルがオイルストレーナ、吸入パイプ等を介して前記吸入口６６から前記弁室６１に吸入されるとともに、該弁室６１から前記吐出口６７、前記ボール弁体７５、前記出口通路部材９０を縦貫するように形成されている出口通路９２、該出口通路９２の出口側に配設されたチェック弁９５、前記出口通路部材９０に接続された吐出パイプ等を介して、目的地である前記内燃エンジンの摺動部分に吐出圧送される。
なお、図中の符号６８は、前記ソレノイド８０に駆動パルスを供給する図示しない電源コードの挿通部である。
【０００８】
【発明が解決しようとする課題】
ところで、前記した如くの往復動式ポンプにおいては、吸入側の詰まり、オイル切れ（空気の吸い込み）等によりオイル（流体）が正常に吸入されなくなる、あるいは、出口側の配管類に詰まりが生じる等してオイルが目的地に送られなくなる等の異常が生じた場合には、例えば、焼き付きを防止すべく前記内燃エンジンを停止させる、警報を発する等の対策をとることが望まれる。
【０００９】
そのため、従来より、前記往復動ポンプに圧力センサを付設し、この圧力センサにより、その吐出側の圧力変動を検出するようになし、この圧力センサの出力（検出信号）に基づいて、前記した如くの異常を検出することが考えられている。
【００１０】
具体的には、例えば、図７に示される如くに、前記出口通路部材９０に取出口９７を設け、吐出側のオイルの一部（吐出圧）を剛性パイプ９８等を介して圧力センサ１００に導入するようになし、この圧力センサ１００により、その吐出側の圧力変動を検知する。
【００１１】
前記圧力センサ１００としては、従来、ダイアフラム等で圧力を他の物理量（変位等）に変えて電気信号を取り出す間接変換式のものが一般的であり、例えば、ダイアフラムにストレインゲージを貼り付けたもの、磁性材料のダイアフラムの両面にコイルとコアを対称配置して平衡な磁気回路を構成したもの、導電性のダイアフラムとこれに対向する電極とで一対のコンデンサを形成した方式のもの等が市販されている。
【００１２】
ここで、前記圧力センサ１００の出力は、図８に示される如くに、前記ソレノイド８０のＯＮ／ＯＦＦ（前記往復動部材７０による吐出・吸入動作）に同期して、前記した如くの異常が生じていない正常時には、図８（Ａ）に示される如くの波形となり、オイル切れのときには、図８（Ｂ）に示される如くに、正常時より出力の変化が表れる時期が（空気吸込みため）若干遅れるとともに、出力が若干小さくなり、出口側に詰まり等が生じたときには、図８（Ｃ）に示される如くに、出力が極めて大きくなる。したがって、かかる圧力センサ１００の出力（検出信号）を例えばコンピュータで処理することにより、前記異常の種別を検出できる。
【００１３】
しかしながら、前記した如くの、一般に市販されている圧力センサは、チェーンソー等の携帯型作業機の動力源として使用される内燃エンジンの潤滑等に使用される往復動式ポンプの、オイル切れや出口側の詰まり等の異常を検出するための検出手段として用いるにしては、高価過ぎる嫌いがあり、また、圧力センサに直接オイル等の流体（吐出圧）を導く必要があり、それを設置する場所、スペース等にも制約が課されるので、実際には、前記圧力センサを前記往復動ポンプに付設することは難しかった。
【００１４】
本発明は、前記した如くの要望に応えるべくなされたもので、その目的とするところは、オイル切れや出口側の詰まり等の流体の吸入吐出の異常を、安価な検出手段を用いて比較的簡単な構成のもとで確実に検出できるようにされた往復動式ポンプを提供することにある。
【００１５】
【課題を解決するための手段】
前記の目的を達成すべく、本発明に係る往復動式ポンプは、吸入口と弁体により開閉される吐出口とが形成されたシリンダ部を有する本体部と、前記シリンダ部内を往復動せしめられて、前記吸入口から流体を吸入するとともに、吸入された流体を前記吐出口から出口通路部材側に押し出す前記往復動部材と、該往復動部材を駆動するソレノイドと、を具備し、前記往復動部材により流体の吸入吐出が行われるようにされ、流体の吸入吐出に異常が生じたか否かを検出すべく、その吐出側の圧力変動を検知する圧電素子からなる異常検出手段を付設しており、前記本体部の前記吐出口側に第一調圧弁を介して連結された前記出口通路部材と、該出口通路部材の下流側に配設された第二調圧弁と、を具備し、前記第二調圧弁の調圧値が前記第一調圧弁の調圧値より高く設定されることを特徴としている。
【００１６】
本発明に係る往復動式ポンプは、具体的な好ましい態様では、前記異常検出手段としての前記圧電素子に、前記吐出口から吐出される流体の圧力変化が直接伝達されるように構成されている。
【００１７】
本発明に係る往復動式ポンプは、さらに具体的な好ましい態様では、前記吐出口側に連結された出口通路部材が、内部に通路兼圧力検出室が貫通せしめられた筒状とされていて、その外周側に前記圧電素子が取付固定されている。
本発明に係る往復動式ポンプは、吸入吐出する流体が内燃エンジン潤滑用オイルである、オイルポンプとして使用するのに好適である。
【００１８】
前記した如くの構成とされた本発明に係る往復動式ポンプの好ましい態様においては、流体の吸入吐出に異常が生じたか否かを検出する異常検出手段として、リング状乃至筒状の圧電素子単体を用い、この圧電素子を、好ましい態様では、前記出口通路部材に外嵌して、該出口通路部材に設けられた鍔状部と前記本体部との間に、絶縁部材を介装したもとで、挟圧保持させる。
【００１９】
これにより、前記往復動式ポンプで吸入吐出される流体の吐出側の流体の圧力変動により、例えば、前記出口通路部材が膨縮し、その変形力が、前記出口通路部材及び前記絶縁部材を介して前記圧電素子に伝達され、これによって、該圧電素子が伸縮せしめられ、その出力（検出信号）が前記圧力変動に応じて変化する。
【００２０】
この場合、前記圧電素子の出力は、前記した圧力センサの出力と基本的には同様なものとなり、そのため、前記圧電素子の出力を例えばコンピュータ等で処理すれば、オイル切れや出口側の詰まり等の異常の種別を自動的に検出することができる。
【００２１】
ここで、前記リング状乃至筒状の圧電素子は、前記した圧力センサに比して極めて安価で市販されており、また、前記圧電素子に直接オイル等の流体（吐出圧）を導く必要はなく、さらに、その取り付けは、例えば出口通路部材に外嵌してそれと本体部との間に挟圧保持させればよいので、極めて簡単容易である。
このように、本発明によれば、オイル切れや出口側の詰まり等の流体の吸入吐出の異常を、安価な圧電素子を用いて比較的簡単な構成のもとで確実に検出できる。
【００２２】
一方、本発明に係る往復動式ポンプの別の好ましい態様では、前記異常検出手段としての前記圧電素子に、前記吐出口から吐出される流体の圧力変化が直接伝達されるように構成される。
この場合、好ましくは、前記吐出口側に連結された出口通路部材が、内部に通路兼圧力検出室が貫通せしめられた筒状とされていて、その外周側に前記圧電素子が取付固定される。
【００２３】
さらに具体的な好ましい態様では、吸入口と前記吐出口とが形成されたシリンダ部を有する本体部と、該本体部の前記吐出口側に第一調圧弁を介して連結された前記出口通路部材と、該出口通路部材の下流側に配設された第二調圧弁と、前記シリンダ部内を往復動せしめられて、前記吸入口から流体を吸入するとともに、吸入された流体を前記吐出口から前記通路兼圧力検出室に押し出す前記往復動部材と、該往復動部材を駆動するソレノイドと、を具備し、前記第二調圧弁の調圧値が前記第一調圧弁の調圧値より高く設定されるとともに、前記通路兼圧力検出室の流体の圧力変化が前記圧電素子に直接伝達されるようになされる。
【００２４】
このような構成とされた往復動式ポンプの好ましい態様においては、圧電素子に、吐出口から吐出される流体の圧力変化が直接伝達されるので、前記した態様のように、出口通路部材の膨縮による変形力を圧電素子に伝達するようにした場合、つまり、流体の圧力変化を圧電素子に間接的に伝達するようにした場合に比して、流体の圧力変化に対して前記圧電素子が敏感に反応する。
【００２５】
また、前記したリング状乃至筒状の圧電素子を出口通路部材に外嵌する態様では、前記出口通路部材に接続される可撓性ホース等に流体の圧力変化が吸収されてしまう可能性があり、前記圧電素子の出力変化は弱小であったが、本態様のように、第一の調圧弁（通常、備えられているもの）に加えて出口通路部材に第二の調圧弁を設け、それらの間の流体の圧力変化を前記圧電素子に直接伝達するようにしたことでも、前記圧電素子の流体の圧力変化に対する敏感度が上がる。
そのため、本態様の往復動式ポンプでは、異常検出の確実性及び精度が向上し、信頼性が増す。
【００２６】
【発明の実施の形態】
以下、本発明の実施の形態を図面を参照しながら説明する。先ず、図１を参照して、本発明に関連する往復動式ポンプの一例について説明する。
図１は、本発明に関連する往復動式ポンプの一例を示す断面図である。図示の往復動式ポンプ１は、チェーンソー等の携帯型作業機の動力源として使用される小型空冷２サイクルガソリンエンジン（以下、内燃エンジンと称する）の潤滑等に使用されるもので、前述した図７に示される従来例の往復動式ポンプ２と基本的には同様な構成となっている。
【００２７】
すなわち、図１示の往復動式ポンプ１は、吸入口１６とボール弁体２５により開閉される吐出口１７とが形成されたシリンダ部１５が内嵌された本体部１０と、前記シリンダ部１５に摺動自在に嵌挿されたプランジャロッド２１と該プランジャロッド２１の後端部が圧入固定されたプランジャ本体２２からなる往復動部材２０と、前記本体部１０の一端側（図では右側）に配設された、前記往復動部材２０を駆動するソレノイド３０と、前記本体部１０の他端側（図では左側螺合部１４）に螺合せしめられた出口通路部材４０と、を備えている。
【００２８】
前記ボール弁体２５は、それと前記出口通路部材４０との間に介装されたコイルばね２４により、常時前記吐出口１７を閉じる方向に付勢されており、また、前記往復動部材２０は、前記シリンダ部１５と前記プランジャ本体２２との間に介装されたコイルばね２８により、図の右方向に付勢されている。
【００２９】
前記ソレノイド３０は、前記本体部１０とその一端側外周に螺合せしめられた取付固定筒３４との間に挟まれるようにして取付固定されており、また、前記取付固定筒３４の外周側には、有底円筒状のストッパカバー３５が外嵌固定されている。
【００３０】
前記ソレノイド３０は、図示しない外部の電源（制御装置）から所定の周期をもって供給される駆動パルスによりＯＮ（通電励磁）／ＯＦＦされるようになっており、前記往復動部材２０は、前記ソレノイド３０がＯＮからＯＦＦにされると、前記コイルばね２８の付勢力により図の右方向に移動せしめられ、前記プラジャロッド２１が前記吸入口１６を開いて、前記プランジャロッド２１と前記ボール弁体２５との間に形成された弁室１１内に流体（内燃エンジン潤滑用オイル）を吸入するとともに、その後端鍔状部２３が、前記ストッパカバー３５に接当せしめられる（図の実線で示される状態）。
【００３１】
この状態から前記ソレノイド３０がＯＮにされると、その発生磁力により前記往復動部材２０が図の左方向に移動せしめられて、前記プラジャロッド２１が前記吸入口１６を閉じるとともに、前記弁室１１内の流体を押圧して前記ボール弁体２５を図の左方向に押動し、前記プランジャ本体２２の前記後端鍔状部２３が前記取付固定筒３４の右端面に貼着された合成樹脂製緩衝板３８に接当せしめられる。
これにより、前記吐出口１７が開かれて、前記弁室１１内の流体が前記出口通路部材４０側に吐出される。
【００３２】
したがって、前記ソレノイド３０のＯＮ／ＯＦＦ作動により、例えば、図示しないオイルタンク内の潤滑用オイルがオイルストレーナ、吸入パイプ等を介して前記吸入口１６から前記弁室１１に吸入されるとともに、該弁室１１から前記吐出口１７、前記ボール弁体２５、前記出口通路部材４０を縦貫するように形成されている出口通路４２、該出口通路４２の出口側に配設されたチェック弁４５、前記出口通路部材４０に接続された吐出パイプ等を介して、目的地である前記内燃エンジンの摺動部分に吐出圧送される。
【００３３】
前記構成に加え、図１示の一例の往復動式ポンプでは、潤滑用オイルの吸入吐出に異常が生じたか否かを検出する異常検出手段として、市販の筒状の圧電素子５０が、前記出口通路部材４０に外嵌せしめられて、該出口通路部材４０に設けられた鍔状部４３と前記本体部１０に設けられた鍔状部１３との間に、リーク等の発生により前記圧電素子５０の性能が損なわれたりせぬよう、筒状の内周絶縁部材５５及び円板状の端面絶縁部材５６、５７を介して挟圧保持されている。
【００３４】
この圧電素子５０の出力（検出信号）は、その一端面に銀溶着又ははんだ付けされたリード線（図示せず）を介して取り出される。なお、この圧電素子５０は、前記鍔状部４３−１３間で所定圧で予圧縮されている。
なお、図中の符号１８は、前記ソレノイド３０に駆動パルスを供給する図示しない電源コードの挿通部である。
【００３５】
このような構成とされた図１示の一例の往復動式ポンプ１においては、潤滑用オイルが吐出されるとき（前記ソレノイド３０がＯＮにされたとき）の圧力変動により、前記出口通路部材４０が膨縮し、その変形力が、前記出口通路部材４０及び前記絶縁部材５５、５６、５７を介して前記圧電素子５０に伝達され、これによって、該圧電素子５０が伸縮せしめられ、その伸縮の度合い（変化速度）に比例した電圧（出力）が発生する。
【００３６】
この場合、前記圧電素子５０の出力は、図２に示される如くに、前記した従来例の圧力センサ１００の出力（図８）と基本的には同様に、前記ソレノイド３０のＯＮ／ＯＦＦ（前記往復動部材２０による吐出・吸入動作）に同期して、前記した如くの異常が生じていない正常時には、図２（Ａ）に示される如くの波形となり、オイル切れのときには、図２（Ｂ）に示される如くに、正常時より出力の変化が表れる時期が（空気吸込みため）若干遅れるとともに、振幅が若干小さくなり、出口側に詰まり等が生じたときには、図２（Ｃ）に示される如くに、振幅が極めて大きくなる。したがって、かかる圧電素子５０の出力（検出信号）を例えばコンピュータで処理することにより、オイル切れや出口側の詰まり等の異常を自動的に検出することができる。
【００３７】
ここで、前記筒状の圧電素子５０は、前記した従来例の圧力センサ１００に比して極めて安価で市販されており、また、前記圧電素子５０に直接オイル等の流体（吐出圧）を導く必要はなく、さらに、その取り付けは、前記出口通路部材４０に外嵌してそれと前記本体部１０との間に挟圧保持させればよいので、極めて簡単容易である。
このように、図１示の一例の往復動式ポンプ１では、オイル切れや出口側の詰まり等の流体の吸入吐出の異常を、安価な圧電素子を用いて比較的簡単な構成のもとで確実に検出できる。
【００３８】
図３は、本発明に係る往復動式ポンプの一実施形態を示す断面図である。図示の往復動式ポンプ１’は、前述した図１に示される一例の往復動式ポンプ１と基本的には同様な構成となっており、以下においては、前記一例の往復動式ポンプと同一機能部分には同一符号を付して、重複説明を省略し、相違点を重点的に説明する。
【００３９】
本実施形態の往復動式ポンプ１’は、異常検出手段としての圧電素子１５０に、吐出口１１７から吐出される流体の圧力変化が直接伝達されるように構成されている。また、前記吐出口１１７側に連結された出口通路部材１４０が、内部に通路兼圧力検出室１４１が貫通せしめられた筒状とされていて、その外周側に前記圧電素子１５０が取付固定されている。
【００４０】
詳細には、吸入口１１６と前記吐出口１１７とが形成されたシリンダ部１１５を有する本体部１０’と、該本体部１０’の前記吐出口１１７側に第一調圧弁１２０を介して連結された前記出口通路部材１４０と、該出口通路部材１４０の下流側に配設された第二調圧弁１３０と、前記シリンダ部１１５内を往復動せしめられて、前記吸入口１１６から流体を吸入するとともに、吸入された流体を前記吐出口１１７から前記通路兼圧力検出室１４１に押し出す前記往復動部材２０と、該往復動部材２０を駆動するソレノイド３０と、を具備する。
【００４１】
前記第一調圧弁１２０は、ポンプには通常備えられているもので、ボール弁体１２５とこれを閉方向に付勢する圧縮コイルばね１２４とからなっている。それに対し、前記第二調圧弁１３０は、新たに付設されたもので、前記通路兼圧力検出室１４１の下流端の第二吐出口１４７を開閉するボール弁体１３５とこれを閉方向に付勢する圧縮コイルばね１３４とからなっている。前記出口通路部材１４０の下流端側には、ホース類を接続するための継手部材１４５が螺合せしめられ、該継手部材１４５のねじ込み量により前記圧縮コイルばね１３４の圧縮量が調整され、これにより、前記調圧弁１３０の調圧値が設定されるようになっている。
【００４２】
ここでは、前記第二調圧弁１３０の調圧値が前記第一調圧弁１２０の調圧値より高く設定されている。言い換えれば、前記第一調圧弁１２０が前記吐出口１１７を開く圧力より前記第二調圧弁が前記第二吐出口１４７を開く圧力の方が高くなるように設定されている。
【００４３】
前記出口通路部材１４０の断面外周は、図４（Ａ）に示される如くに、両面平行面取り形となっており、その中央部上側に設けられた嵌入部１４４に、前記圧電素子１５０を保持するホルダ１６０の挿着部１６２が圧入等により強固に挿着固定されている。前記ホルダ１６０は、圧電素子装着口１６７が下部に横向きに形成された円筒形の保持筒部１６１と前記挿着部１６２とからなっており、前記保持筒部１６１の下部に、前記圧電素子１５０が装着固定されている。該圧電素子１５０は中実円柱状をしており、図４（Ａ）、（Ｂ）に加えて図５を参照すればよくわかるように、その外周にそれより高さ（長さ）の短い絶縁筒体１５５が緩く外嵌され、かつ、その両端面にしゃもじ形の電極板１５１、１５２が貼着されている。
【００４４】
前記保持筒部１６１の底部（前記挿着部１６２）と前記圧電素子１５０（前記下側電極１５２）との間には、ゴム製のドーナツ形のシール材１５８が配置され、前記挿着部１６２には、前記通路兼圧力検出室１４１の流体の圧力変化を前記圧電素子１５０に伝達するための圧力伝達通路部１６３が縦貫されている。
また、前記圧電素子１５０は、前記保持筒部１６１の上部に形成された雌ねじ部１６６にねじ込まれた押圧ナット部材１６５により前記シール材１５８に押し付けられて所定圧で予圧されている。
【００４５】
このような構成とされた一実施形態の往復動式ポンプ１’においても、前述した一例の往復動式ポンプのものと同様な流体の吐出動作が行われるが、本実施形態では、前記圧電素子１５０に、前記吐出口１１７から吐出される流体の圧力Ｐの変化が前記通路兼圧力検出室１４１から前記挿着部１６２の前記圧力伝達通路部１６３を介して直接伝達されるので、前述の一例の往復動式ポンプのように、出口通路部材４０の膨縮による変形力を圧電素子５０に伝達するようにした場合、つまり、流体の圧力変化を圧電素子５０に間接的に伝達するようにした場合に比して、流体の圧力変化に対して前記圧電素子１５０が敏感に反応する。
【００４６】
また、前記した一例の往復動式ポンプでは、前記出口通路部材４０に接続される可撓性ホース等に流体の圧力変化が吸収されてしまう可能性があり、前記圧電素子の出力変化は弱小であったが、本態様のように、第一調圧弁１２０（通常、備えられているもの）に加えて前記出口通路部材１４０に第二の調圧弁１３０を設け、それらの間の流体の圧力変化を前記圧電素子１５０に直接伝達するようにしたことでも、前記圧電素子１５０の流体の圧力変化に対する敏感度が上がる。
【００４７】
そのため、本実施形態の往復動式ポンプ１’では、図６に示される如くに、正常時（Ａ）、オイル切れ時（Ｂ）及び、出口側の詰まり時（Ｃ）における前記圧電素子１５０の出力波形がより大きく異なるものとなって、一例の往復動式ポンプより識別性が増し、その結果、異常検出の確実性及び精度が向上し、信頼性が増す。
以上、本発明の実施形態について詳述したが、本発明は、前記実施形態に限定されるものではなく、特許請求の範囲に記載された発明の精神を逸脱しない範囲で、設計において、種々の変更ができるものである。
【００４９】
【発明の効果】
以上の説明から理解されるように、本発明によれば、オイル切れや出口側の詰まり等の流体の吸入吐出の異常を、安価な圧電素子を用いて比較的簡単な構成のもとで確実に検出できる往復動式ポンプの提供が可能となる。
【図面の簡単な説明】
【図１】  本発明に関連する往復動式ポンプの一例を示す断面図。
【図２】  図１に示される往復動式ポンプに用いられた圧電素子の、正常時と異常時の出力変化の説明に供されるグラフ。
【図３】  本発明に係る往復動式ポンプの一実施形態を示す断面図。
【図４】  （Ａ）は図３のＩＶ（Ａ）−ＩＶ（Ａ）矢視断面図、（Ｂ）は図３のＩＶ（Ｂ）−ＩＶ（Ｂ）矢視断面図。
【図５】  図３に示される往復動式ポンプに使用された圧電素子ユニットを示す斜視図。
【図６】  図３に示される往復動式ポンプに用いられた圧電素子の、正常時と異常時の出力変化の説明に供されるグラフ。
【図７】  従来の往復動式ポンプの一例を示す断面図。
【図８】  図７に示される往復動式ポンプに用いられた圧力センサの、正常時と異常時の出力変化の説明に供されるグラフ。
【符号の説明】
１’    往復動式ポンプ
１０’  本体部
２０    往復動部材
３０    ソレノイド
１１５  シリンダ部
１１６  吸入口
１１７  吐出口
１２０  第一調圧弁
１２５    ボール弁体
１３０  第二調圧弁
１４０  出口通路部材（吐出側）
１４１  通路兼圧力検出室
１５０  圧電素子（異常検出手段）
【図１】
0003955185.tif 000002
【図２】
0003955185.tif 000003
【図３】
0003955185.tif 000004
【図４】
0003955185.tif 000005
【図５】
0003955185.tif 000006
【図６】
0003955185.tif 000007
【図７】
0003955185.tif 000008
【図８】
0003955185.tif 000009